(57)【要約】      （修正有）【課題】地中熱を利用した融雪を行う融雪槽を提供する。【解決手段】融雪槽１０は、敷地内の積雪１２を投入する融雪槽本体１４と、地中熱１６を採取する地中熱交換部１８とを備えるものである。融雪槽本体１４は、地中２０に埋設されている。地中熱交換部１８は、融雪槽本体１４の底から地中２０に回転圧入される中空の採熱管である。融雪槽本体１４の水２８は、地中２０に圧入される採熱管１８に流れ込み、地中熱１６を採取して、融雪槽本体１４に還流し、融雪槽本体１４の雪１２を融雪する。採熱管１８は、地中１０ｍまで圧入されている。これにより、地中２０の熱を利用して、融雪槽本体１４の水温の低下を防ぎ、降雪量が多い時でも融雪でき円滑に除雪することができる。また、ヒートパイプ等を採用することなく、融雪することが可能となり、化石燃料の消費を軽減することもできる。【選択図】図１
0003194187.tif 000002
【実用新案登録請求の範囲】
【請求項１】
積雪を投入する融雪槽本体と、融雪槽本体の底から地中に中空の採熱管を圧入した地中熱交換部とを備えることを特徴とする融雪槽。
【請求項２】
採熱管を地中１０ｍまで圧入することを特徴とする請求項１記載の融雪槽。
【請求項３】
融雪槽本体の水面に浮遊する雪を外部に排出する排出口を側溝に連絡するように設けることを特徴とする請求項１又は請求項２記載の融雪槽。
【請求項４】
地中熱交換部が、融雪槽本体の底から地中に圧入される中空の採熱管と、採熱管の上部開口部を塞ぐ蓋部と、蓋部に設けるものであって融雪槽本体と採熱管とを連通させ融雪槽本体の水を採熱管の底部に導水する第一パイプと、蓋部に設けるものであって採熱管の上部と融雪槽本体とを連通させる第二パイプと、第二パイプを用いて地中熱を採取した採熱管の上部の水を融雪槽本体に汲み上げる水中ポンプとからなり、第一パイプが水没するまで融雪槽本体に貯水し、水中ポンプを駆動することにより、融雪槽本体内の水と採熱管内の水を循環させることを特徴とする請求項１乃至請求項３のいずれか一に記載の融雪槽。
【請求項５】
融雪槽本体の開口部を遮蔽板で覆い、遮蔽板に開閉扉を設け、開閉扉の裏面に第二パイプに連結する吐水口を取り付けることを特徴とする請求項４記載の融雪槽。
【考案の詳細な説明】
【技術分野】
【０００１】
本考案は、敷地内の積雪を除雪するための融雪槽に関する。
【背景技術】
【０００２】
豪雪地帯では、排雪が大きな問題となる。特に、敷地内の出入り口や駐車場の雪、屋根の雪は、人力によって除雪されることが多く、また積雪量が多い場合は敷地内の雪を排雪地まで運搬する必要があった。排雪地が遠くにある場合、排雪に多くの時間、費用及び労力（負担）がかかっていた。
従来、地中に埋設する電気式ヒートパイプ方式による融雪槽が提供されている（例えば、特許文献１）。
【０００３】
特許文献１の融雪槽は、地中に埋設されるものであり、上面開口部から雪を投げ入れて融雪する。融雪槽の底には、ヒートパイプからなる発熱部と水中ポンプが設けられている。融雪槽内の水は、水中ポンプで吸い上げられ、水中ポンプに連結されるパイプを介して、散水ノズルから融雪槽の水面の雪に噴射され、雪を融かす。
【先行技術文献】
【特許文献】
【０００４】
【特許文献１】特開平８−２０９２７
【考案の概要】
【考案が解決しようとする課題】
【０００５】
特許文献１の融雪槽は、電気式ヒートパイプ方式のものであり、電気（深夜電力）を用いて融雪を行うものであるため、化石燃料を消費するものであった。
【０００６】
上述の欠点を解決するために、地中熱を利用した融雪を行う融雪槽を提供することを目的とするものである。
【課題を解決するための手段】
【０００７】
本考案の融雪槽は、積雪を投入する融雪槽本体と、融雪槽本体の底から地中に中空の採熱管を圧入した地中熱交換部とを備えるようにしたものである。
また、採熱管を地中１０ｍまで圧入するようにしたものである。
【０００８】
また、融雪槽本体の水面に浮遊する雪を外部に排出する排出口を側溝に連絡するように設けるようにしたものである。
【０００９】
また、地中熱交換部が、融雪槽本体の底から地中に圧入される中空の採熱管（鋼管杭）と、採熱管の上部開口部を塞ぐ蓋部と、蓋部に設けるものであって融雪槽本体と採熱管とを連通させ融雪槽本体の水を採熱管の底部に導水する第一パイプと、蓋部に設けるものであって採熱管の上部と融雪槽本体とを連通させる第二パイプと、第二パイプを用いて地中熱を採取した採熱管の上部の水を融雪槽本体に汲み上げる水中ポンプとからなり、第一パイプが水没するまで融雪槽本体に貯水し、水中ポンプを駆動することにより、融雪槽本体内の水と採熱管内の水を循環させるようにしたものである。
【００１０】
また、融雪槽本体の開口部を遮蔽板で覆い、遮蔽板に開閉扉を設け、開閉扉の裏面に第二パイプに連結する吐水口を取り付けるようにしたものである。
【考案の効果】
【００１１】
本考案の融雪槽は、融雪槽本体に地中熱交換部を設けることにより、地中に埋設される融雪槽本体のみの融雪槽より多くの地中熱を採取できる。これにより、降雪量の多い時期でも融雪することができ、従来のような排雪作業を行うことなく、敷地内の積雪を除雪することができる。また、ヒートパイプ等を採用することなく、融雪することが可能となり、化石燃料（電気等）の消費を軽減することができる。
さらには、本考案の融雪槽を側溝に連結できる場所に埋設することにより、融雪槽の融雪能力の低下を防ぐことができる。
【００１２】
本考案の融雪槽において、融雪槽本体と地中熱交換部の水を水中ポンプを用いて循環させることにより、より多くの雪を除雪することができる。また、採熱管内の水を地上に設けられる吐水口から融雪槽本体に投入した雪に向けて吹き出すことにより、より効果的に融雪することができる。
【図面の簡単な説明】
【００１３】
【図１】本考案の融雪槽の構成を表わす図である。
【図２】本考案の融雪槽の他の実施形態の構成を表わす図である。
【図３】図２の採熱管を表わす図である。
【考案を実施するための最良の形態】
【００１４】
本考案は、敷地内の積雪を除雪することを実現するものである。
【実施例】
【００１５】
本考案の融雪槽を図に基づいて説明する。図１は、本考案の融雪槽の構成を表わす図である。
本考案の融雪槽１０は、敷地内の積雪１２を投入する融雪槽本体１４と、地中熱１６を採取する地中熱交換部１８とを備えるものである。融雪槽本体１４は、コンクリート製の箱型のものであり、地中２０に埋設するものである。地表２２に現れる融雪槽本体１４の上面には、開閉扉２４（積雪の投入口の蓋）が設けられている。開閉扉２４を開けることにより、雪１２の投入口２６が現れるようになっている（図１）。
地中熱交換部１８は、融雪槽本体１４の底から地中２０に圧入される中空の採熱管（鋼管杭）である。図１において、採熱管（鋼管杭）１８は、回転圧入により地中２０に埋設されている。融雪槽本体１４の水２８（融雪により温度が低下した水）は、地中２０に回転圧入された採熱管１８に流れ込み、地中熱１６を採取して融雪槽本体１４に還流され、融雪槽本体１４に投入された積雪１２を融雪する。
融雪槽本体１４に地中熱交換部（採熱管１８）を設けることにより、地中２０に埋設される融雪槽本体１４のみの融雪槽より多くの地中熱を採取できる。これにより、降雪量の多い時期でも融雪することができ、従来のような排雪作業を行うことなく、敷地内の積雪を除雪することができる。また、ヒートパイプ等を採用することなく、融雪することが可能となり、化石燃料（電気等）の消費を軽減することができる。
なお、融雪槽本体１４の下地には、砕石、砂が用いられているものとする（図示せず）。
【００１６】
採熱管１８は、地中（深さ）１０ｍまで圧入されている。これにより、地上とおよそ１０℃〜２０℃の温度差がある地中２０の熱（地温）を利用して、融雪槽本体１４の水温の低下を防ぎ、降雪量が多い時でも融雪でき円滑に除雪することができる。
なお、本考案において利用する地中熱１６は、地中（深さ）１０ｍの地温である。地中（深さ）１０ｍから１００ｍの地温は年間を通してほぼ同じ温度であり、地上の平均気温（およそ１０℃〜２０℃）に近い。採熱管１８を地中１０ｍに回転圧入することにより、地中熱１６を採取できるとともに、地中熱交換部（採熱管１８）の設置コスト（工事費用）も軽減することができる。
【００１７】
また、融雪槽１０に、融雪槽本体１４の水面２８ａに浮遊する雪１２を外部に排出するための排出口３０を側溝（図示せず）に連絡するように設ける。本考案の融雪槽１０を側溝に連結できる場所に埋設することにより、融雪槽本体１４内のシャーベット状の雪１２を側溝に流すことができ、融雪槽本体１４の水２８の融雪能力の低下を防ぐことができる。
【００１８】
次に、本発明の融雪槽の他の実施形態を図に基づいて説明する。図２は、本考案の融雪槽の他の実施形態の構成を表わす図である。図３は、図２の採熱管を表わす図であり、図（ａ）は採熱管の平面図、図（ｂ）は採熱管の構成図である。なお、図２及び図３において、図１と同一の参照番号は、同一の構成要素を示すものであり、図１と同一の参照番号の構成要素については説明を省略する。
図２の融雪槽３２は、図１の融雪槽１０において、融雪槽本体１４の水２８ｂと採熱管１８内の水２８ｃを循環させるものである。
図２の地中熱交換部は、融雪槽本体１４の底から地中２０に圧入される中空の採熱管１８（鋼管杭）と、採熱管１８の上部開口部を塞ぐ蓋部３４と、蓋部３４に設けるものであって融雪槽本体１４と採熱管１８とを連通させ融雪槽本体１４の水２８ｂを採熱管１８の底部に導水する第一パイプ３６と、蓋部３４に設けるものであって採熱管１８の上部と融雪槽本体１４とを連通させる第二パイプ３８と、第二パイプ３８を用いて地中熱１６を採取した採熱管１８の上部の水２８ｃを融雪槽本体１４に汲み上げる水中ポンプ４０とから構成されている。
採熱管１８の上部開口部は、融雪槽本体１４の底に形成され、蓋部３４によって塞がれている。第一パイプ３６と第二パイプ３８は、蓋部３４を貫通するように取り付けられている（図３）。また、第一パイプ３６から採熱管１８内に導水される水２８ｂは、融雪により水温の低いものであり、採熱管１８の底部に排出された後、地中１０ｍの地中熱１６を採取しながら、採熱管１８の上部に向かって上昇する。
第一パイプ３６及び水中ポンプ３８は、融雪槽本体１４の水中に設けられている。なお、図１において、水中ポンプ４０は、融雪槽本体１４の底に設置されている。
【００１９】
第一パイプ３６が水没するまで融雪槽本体１４に貯水した状態で、水中ポンプ４０を駆動する。水中ポンプ４０の駆動により、採熱管１８内の水２８ｃが第二パイプ３８により融雪槽本体１４内に汲み上げられると同時に、融雪槽本体１４内の水２８ｂが第一パイプ３６を通じて採熱管１８内に導水される。第二パイプ３８から融雪槽本体１４内に汲み上げられる水２８ｃは、地中熱１６を採取したものであり、融雪槽本体１４内の水２８ｂに比べて、水温が高い。このように、融雪槽本体１４の水２８ｂと採熱管１８内の水２８ｃを循環させることによって、より多くの雪を融かすことができる。降雪が連日続き大雪になった場合であっても、水中ポンプ４０を駆動することにより、敷地内の積雪１２を融雪し除雪することができる。
【００２０】
また、融雪槽本体１４の開口部をコンクリートの遮蔽板１４ａで覆い、遮蔽板１４ａに開閉扉２４を設け、開閉扉２４の裏面に第二パイプ３８に連結する吐水口４２を取り付ける。開閉扉２４を開けると、吐水口４２は地上に配置される。吐水口４２から、融雪槽本体１４に投入した雪１２に向けて、水２８ｃを直接吹き出すことにより、水２８ｃの水圧により融雪槽本体１４の水面に浮遊する雪１２を効果的に融雪することができる。
なお、図２において、第二パイプ３８に連結する吐水口４２は、開閉扉２４の裏面に固定されており、開閉扉２４を開けると、融雪槽本体１４の水面に向けられた吐水口４２が現れるようになっている。また、融雪効果を高めるには、吐水口４２を地表面からできるだけ高い位置に設けることが好ましい。たとえば、第二パイプ３８に延長用パイプを接続し、延長用パイプに吐水口４２を取り付けて、吐水口４２をより高い位置に設けるようにしてもよい。
【００２１】
本考案の融雪槽本体１４は、コンクリート製品である。融雪槽本体１４をいくつか組み合わせることにより、敷地に応じた融雪槽１０、３２を設置することができる。たとえば、直線的な形状の融雪槽、Ｌ字型の融雪槽、コの字型の融雪槽などの敷地の除雪に適した形状のものを設置することができる。
【符号の説明】
【００２２】
１０、３２  融雪槽
１２  積雪
１４  融雪槽本体
１４ａ  遮蔽板
１８  採熱管
２０  地中
２４  開閉扉
２８、２８ｂ、２８ｃ  水
３０  排出口
３４  蓋部
３６  第一パイプ
３８  第二パイプ
４０  水中ポンプ
４２  吐水口
【図１】
0003194187.tif 000003
【図２】
0003194187.tif 000004
【図３】
0003194187.tif 000005